(57)【要約】      （修正有）【課題】商品の形態にかかわらずワンタッチでリボン掛けができると共に、装飾体の位置決めも自由に行うことが可能なリボン装飾体を提供する。【解決手段】１本の帯状もしくは紐状のリボン３０と、リボン３０を挿通可能な輪状の挿通部を有する装飾体２０とを有し、リボン３０を挿通部に挿通させて複数の輪３０ａ，３０ｂを形成したリボン装飾体１０とする。【選択図】図１
0003135892.tif 000002
【実用新案登録請求の範囲】
【請求項１】
１本の帯状もしくは紐状のリボンと、
上記リボンを挿通可能な輪状の挿通部を有する装飾体と、
を有し、
上記リボンを上記挿通部に挿通させて複数の輪を形成したことを特徴とするリボン装飾体。
【請求項２】
前記挿通部は、前記装飾体の裏側に設けられていることを特徴とする請求項１記載のリボン装飾体。
【請求項３】
前記装飾体は、蝶結びされたリボンから構成されており、その結び目部分の一部が前記挿通部を形成していることを特徴とする請求項１または２記載のリボン装飾体。
【請求項４】
前記装飾体を複数配置し、当該各装飾体が有するそれぞれの前記挿通部に前記リボンを連通させて複数の輪を形成したことを特徴とする請求項１から３のいずれか１項記載のリボン装飾体。
【考案の詳細な説明】
【技術分野】
【０００１】
本考案は、商品またはその包装を装飾するために用いられるリボン装飾体に関する。
【背景技術】
【０００２】
従来から、顧客が贈答用や祝い用の商品を購入した場合、その商品の包装時に店員等によって装飾が施される。当該装飾として、例えば、商品に蝶リボンを巻き付けることが行われている。
【０００３】
特許文献１には、その中央部がそれぞれ連接した複数本のリボンを並設し、そのうちの一本または複数本を用いて蝶リボンを形成した包装用リボンが開示されている。
【０００４】
【特許文献１】特開平１１−３３５９２５号公報（要約書）
【考案の開示】
【考案が解決しようとする課題】
【０００５】
しかしながら、特許文献１に開示されている包装用リボンでは、当該包装用リボンを縦方向および横方向の２方向もしくはそれ以上の方向において商品にリボン掛けする場合、それぞれの方向においてリボン掛け作業を行わなければならない。そのため、包装用リボンを商品に取り付けるのに手間がかかるといった問題がある。また、当該包装用リボンの構成より、蝶リボンの位置は連接部近傍に制限されてしまう。
【０００６】
本考案は、かかる問題に鑑みてなされたものであり、その目的とするところは、商品の形態にかかわらずワンタッチでリボン掛けができると共に、装飾体の位置決めも自由に行うことが可能なリボン装飾体を提供しようとするものである。
【課題を解決するための手段】
【０００７】
上記課題を解決するために、本考案は、１本の帯状もしくは紐状のリボンと、リボンを挿通可能な輪状の挿通部を有する装飾体と、を有し、リボンを挿通部に挿通させて複数の輪を形成したものである。
【０００８】
このように構成した場合には、装飾体の挿通部に挿通されて形成されるリボンの各輪を商品に対して複数方向に掛け、リボンの両端を引っ張るだけで複数方向に渡るリボン掛けを行うことが可能となる。したがって、商品の形態にとらわれることなく、１本のリボンを用いて、ワンタッチで迅速かつ確実に装飾体をリボン掛することが可能となる。また、装飾体をリボンに対して自由に位置調整できるため、商品の形態に応じて装飾体の位置調整を容易に行うことが可能となる。また、小さな商品にリボン装飾体を取り付ける場合、装飾体をリボンの一端側に位置させ、当該リボンの他端側の部分のみを用いて取り付け作業を行うことが可能となる。
【０００９】
また、他の考案は、上述の考案に加えて更に、挿通部は、装飾体の裏側に設けられているものである。このように構成した場合には、装飾体が常に表側に露出するため、リボン装飾体の装飾効果が損なわれることがなくなる。
【００１０】
さらに、他の考案は、上述の考案に加えて更に、装飾体は、蝶結びされたリボンから構成されており、その結び目部分の一部が挿通部を形成しているものである。このように構成した場合には、装飾体およびその挿通部をリボンを用いて容易に作製することができる。また、商品に掛けられるリボンと同じ形態のリボンによって装飾体を構成すれば、リボン装飾体により統一感を持たせることができる。
【００１１】
また、他の考案は、上述の考案に加えて更に、装飾体を複数配置し、当該各装飾体が有するそれぞれの挿通部にリボンを連通させて複数の輪を形成したものである。このように構成した場合には、リボン装飾体の色彩もしくは意匠性がより向上し、より優れた装飾効果を得ることができる。
【考案の効果】
【００１２】
本考案によると、商品の形態にかかわらずワンタッチでリボン掛けができると共に、装飾体の位置決めも自由に行うことが可能なリボン装飾体を提供することができる。
【考案を実施するための最良の形態】
【００１３】
以下、本考案の一実施の形態に係るリボン装飾体１０について、図面を参照しながら説明する。
【００１４】
図１は、本考案の一実施の形態に係るリボン装飾体１０の斜視図である。図２は、本考案の一実施の形態に係るリボン装飾体１０を装飾体２０とリボン３０に分解した状態を示す概略図である。
【００１５】
図１および図２に示すように、リボン装飾体１０は、装飾体２０と、１本の帯状のリボン３０と、から主に構成されている。装飾体２０は、帯状のリボン体２２を蝶結びに結ぶことによって形成される。また、図２に示すように、装飾体２０の裏側には輪状の挿通部２４が形成されている。該挿通部２４は、リボン体２２を蝶結びする際に、その裏側に挿通孔２４ａを有するように結び目の一部として形成される。リボン体２２の材料として、合成繊維や天然繊維からなる織物もしくは不織布を採用することが可能である。
【００１６】
図１および図２に示すように、リボン３０は帯状の形態を有しており、リボン体２２と同様の材料からなる。また、リボン３０は、リボン体２２と同一の幅寸法および同一の色彩を有している。図１に示すように、リボン３０は、挿通部２４の挿通孔２４ａに挿通されて２重の輪（以下の説明において、一方の輪をリボン輪３０ａ、他方の輪をリボン輪３０ｂと称呼する。）を形成している。リボン３０の長さは、リボン装飾体１０が取り付けられる商品の大きさや形態等によって適宜決められる。
【００１７】
次に、リボン装飾体１０を商品４０に取り付ける方法の一例について説明する。本実施の形態では、商品４０として略直方体の形態を有するものを採用した場合について説明する。
【００１８】
図３は、リボン装飾体１０を商品４０に取り付ける方法の一例について説明するための図であり、（Ａ）は、リボン輪３０ａ，３０ｂをそれぞれ商品４０の縦方向と横方向に掛けた状態を示す平面図であり、（Ｂ）は、リボン輪３０ａ，３０ｂを締めた状態を示す平面図である。
【００１９】
図３（Ａ）に示すように、まず、リボン装飾体１０のリボン輪３０ａを商品４０の縦方向に掛けると共に、リボン輪３０ｂを商品４０の横方向に掛ける。この状態では、リボン輪３０ａ，３０ｂは、それぞれ商品４０に対してスペース的に余裕を持った状態で掛けられている。次に、リボン３０の両端部３０ｃ，３０ｃをそれぞれ外側に向かって引っ張る。すると、各リボン輪３０ａ，３０ｂは一本のリボン３０から形成されているため、当該リボン輪３０ａ，３０ｂの大きさが小さくなり、各リボン輪３０ａ，３０ｂが縦横両方向において締まる。このため、装飾体２０が商品４０に対して位置決め（本実施の形態では略中央部）される。次に、リボン３０の両端部３０ｃ，３０ｃ同士を結べばリボン装飾体１０の商品４０への取り付けが完了する。なお、装飾体２０の位置は、商品４０の略中央部に限定されるものではなく、顧客の要望に応じてその位置を適宜調整することが可能である。また、両端部３０ｃ，３０ｃを装飾部２０の結び目部分において結ぶとリボン装飾体１０の装飾性がより向上する。また、上述の場合とは逆に、リボン輪３０ａを商品４０の横方向に掛け、リボン輪３０ｂを商品４０の縦方向に掛けるようにしても良い。
【００２０】
以上のようにして構成されたリボン装飾体１０では、リボン輪３０ａ，３０ｂを商品４０の縦横両方向に掛け、両端部３０ｃ，３０ｃを引っ張るだけでリボン装飾体１０のリボン掛けを行うことが可能となる。したがって、１本のリボン３０を用いて、ワンタッチで迅速かつ確実にリボン装飾体１０を商品４０に取り付けることが可能となる。そのため、リボン掛けが苦手な人でも容易にリボン装飾体１０の取り付けを行うことが可能となる。また、装飾体２０をリボン３０に対して容易に位置調整できるため、商品４０に対する装飾体２０の位置調整を容易に行うことが可能となる。また、商品４０が小さい場合、装飾体２０をリボン３０の一端側に位置させ、当該リボン３０の他端側の部分のみを用いて取り付け作業を行うことが可能となる。
【００２１】
また、リボン装飾体１０では、リボン３０のみを用いてリボン掛けが行われている。したがって、リボン掛けを行うために複数のリボンを用いる必要がなくなり、部品点数を削減できると共にコストを削減することも可能となる。
【００２２】
また、リボン装飾体１０では、予め装飾体２０が設けられているため、リボン掛けを行う毎に装飾部１０を蝶結びする必要がない。したがって、装飾部２０の形態が不均一になることがなくなる。その結果、一定の品質を保つことが可能となる。また、装飾体２０に何らかの色彩が施されている場合、その位置を常に一定の位置に保つことが可能となる。
【００２３】
また、リボン装飾体１０では、挿通部２４が装飾体２０の裏側に設けられているため、装飾体２０が常に表側に露出する。このため、リボン装飾体１０の装飾効果が損なわれることがなくなる。また、リボン体２２とリボン３０は、同じ形態のリボンによって構成されているため、リボン装飾体１０に統一感を持たせることができる。
【００２４】
以上、本考案の一実施の形態について説明したが、本考案は上述の形態に限定されることなく、種々変形した形態にて実施可能である。
【００２５】
上述の実施の形態では、リボン装飾体１０は、リボン輪３０ａ，３０ｂの２つのリボン輪を有しているが、リボン輪の数は２つに限らず、３つ以上としても良い。３つ以上とすることで、直方体形状以外の三角柱形状や球形状等の他の形態を有する商品に対してもリボン掛けを行うことが可能となる。
【００２６】
また、上述の実施の形態では、リボン体２２とリボン３０の材料、形態および色彩は全て同一とされているが、これらのいずれか１つもしくは２以上を異なるように構成しても良い。例えば、リボン体２２およびリボン３０として、紙製の紐、コードもしくはあさひも等を採用しても良い。
【００２７】
また、上述の実施の形態では、装飾体２０は、リボン体２２を蝶結びすることによって形成されているが、装飾体２０の形態は、当該形態に限定されるものではなく、例えば、アクセサリやブローチ等の他の形態としても良い。また、リボン装飾体１０をアクセサリやベルト等の他の装飾品として用いても良い。
【００２８】
また、上述の実施の形態では、装飾体２０を１つしか設けていないが、２つ以上設けるようにしても良い。このような構成とすることで、リボン装飾体１０の色彩もしくは意匠性がより向上し、より優れた装飾効果を得ることができる。
【産業上の利用可能性】
【００２９】
本考案のリボン装飾体は、小売業、卸売業、サービス業もしくは製造業等の商品の提供を行う産業全般において利用することができる。
【図面の簡単な説明】
【００３０】
【図１】本考案の一実施の形態に係るリボン装飾体の斜視図である。
【図２】本考案の一実施の形態に係るリボン装飾体を装飾体とリボンに分解した状態を示す概略図である。
【図３】図３は、リボン装飾体を商品に取り付ける方法の一例について説明するための図であり、（Ａ）は、リボン輪をそれぞれ商品の縦方向と横方向に掛けた状態を示す平面図であり、（Ｂ）は、リボン輪を締めた状態を示す平面図である。
【符号の説明】
【００３１】
１０…リボン装飾体
２０…装飾体
２４…挿通部
３０…リボン
３０ａ，３０ｂ…輪（リボン輪）
【図１】
0003135892.tif 000003
【図２】
0003135892.tif 000004
【図３】
0003135892.tif 000005